(57)【特許請求の範囲】
【請求項１】
複数のＬＥＤ表示ユニットが表示面にマトリックス状に配置されたＬＥＤ映像表示装置であって、
入力した映像信号に対して所定の処理を行った映像データを出力するコントローラ、
複数の赤色用ＬＥＤ素子とこれらの赤色用ＬＥＤ素子を駆動する赤色用ドライバＩＣと、複数の緑色用ＬＥＤ素子とこれらの緑色用ＬＥＤ素子を駆動する緑色用ドライバＩＣと、複数の青色用ＬＥＤ素子とこれらの青色用ＬＥＤ素子を駆動する青色用ドライバＩＣとを有する複数のＬＥＤ表示ユニットが平面状に配置された映像表示部、および
前記コントローラから出力する映像データを常時解析する映像解析部と、この映像解析部の解析結果に基づいて、前記赤色用、緑色用、青色用ドライバＩＣへ供給するクロック信号を制御し、前記赤色用、緑色用、青色用ドライバＩＣへ映像データを供給する映像出力処理部とを有する表示ユニット制御部を備え、
前記表示ユニット制御部の映像データは、赤色、緑色、青色の３色に対応して分離されており、
前記複数のＬＥＤ表示ユニットは、赤色、緑色、青色の３色に対応して、前記赤色用、緑色用、青色用ＬＥＤ素子と、前記赤色用、緑色用、青色用ドライバＩＣと、電源とが分離して設けられており、
前記表示ユニット制御部は、前記映像解析部で常時解析している前記各色の映像データが、赤色、緑色、青色の３色のいずれかの単色データであれば、当該単色データ以外の他の２色に対応するドライバＩＣへの前記クロック信号をハイまたはロウに固定することを特徴とするＬＥＤ映像表示装置。
【請求項２】
複数のＬＥＤ表示ユニットが表示面にマトリックス状に配置されたＬＥＤ映像表示装置であって、
入力した映像信号に対して所定の処理を行った映像データを出力するコントローラ、
複数の赤色用ＬＥＤ素子とこれらの赤色用ＬＥＤ素子を駆動する赤色用ドライバＩＣと、複数の緑色用ＬＥＤ素子とこれらの緑色用ＬＥＤ素子を駆動する緑色用ドライバＩＣと、複数の青色用ＬＥＤ素子とこれらの青色用ＬＥＤ素子を駆動する青色用ドライバＩＣとを有する複数のＬＥＤ表示ユニットが平面上に配置された映像表示部、および
前記コントローラから出力する映像データを常時解析する映像解析部と、この映像解析部の解析結果に基づいて、前記赤色用、緑色用、青色用ドライバＩＣへ供給するクロック信号を制御し、前記赤色用、緑色用、青色用ドライバへ映像データを供給する映像出力処理部とを有する表示ユニット制御部を備え、
前記表示ユニット制御部の映像データは、赤色、緑色、青色の３色に対応して分離されており、
前記複数のＬＥＤ表示ユニットは、赤色、緑色、青色の３色に対応して、前記赤色用、緑色用、青色用ＬＥＤ素子と、前記赤色用、緑色用、青色用ドライバＩＣと、電源とが分離して設けられており、
前記表示ユニット制御部は、前記映像解析部で常時解析している映像データが、赤色単色データと青色単色データの２色の単色データで合成されたマゼンダ色、緑色単色データと青色単色データの２色の単色データで合成されたシアン色、あるいは赤色単色データと緑色単色データの２色の単色データで合成されたイエロー色である場合、合成元の２色以外の単色に対応するドライバＩＣへの前記クロック信号をハイまたはロウに固定することを特徴とするＬＥＤ映像表示装置。
【請求項３】
前記複数の赤色用、緑色用、青色用ＬＥＤ素子に電源を供給する電源ラインと前記複数の赤色用、緑色用、青色用ドライバＩＣに電源を供給する電源ラインにスイッチング素子を設け、
前記表示ユニット制御部は、前記３色の映像データのいずれかが“０”、あるいは複数の映像データが“０”の場合、前記スイッチング素子をオフとすることを特徴とする請求項１または２に記載のＬＥＤ映像表示装置。 
【発明の詳細な説明】
【技術分野】
【０００１】
本発明は、ＬＥＤを表示素子として用いた複数の表示ユニットによって表示画面を構成する大型のＬＥＤ映像表示装置に係わり、特に、黒表示あるいは赤・緑・青の単色表示が続く映像を表示する場合に、表示ユニットに搭載されるドライバＩＣへ映像データを伝送するために消費する信号駆動用電力の低減を図れるＬＥＤ映像表示装置に関する。
【背景技術】
【０００２】
ＬＥＤ映像表示装置は、映像データを送出するコントローラと、ＬＥＤ素子と該ＬＥＤ素子を駆動するドライバＩＣが実装された複数のＬＥＤ表示ユニットと、コントローラから送出される映像データを受信して、複数のＬＥＤ表示ユニットのドライバＩＣへ「映像データ」および「シフトクロックやイネーブル信号やラッチ信号などの制御信号」を出力する表示ユニット制御部から構成される。
【０００３】
従来のＬＥＤ映像表示装置では、表示ユニット制御部は、コントローラから受信する映像データがいかなる値を持っていようとも、同様の制御信号を出力していた。
例えば、従来では黒表示するための“０”の映像データをドライバＩＣに伝送するために、シフトクロック（ＳＣＬＫ）やイネーブル（ＥＮ）信号やラッチ（ＬＡＴＣＨ）信号を出力しており、ＬＥＤ表示ユニットのドライバＩＣは、“０”の映像データ（すなわち、黒表示の映像データ）であるにも関わらず、映像データのシフトとラッチを繰り返す必要がある。
従って、黒表示が続くコンテンツの映像を表示した場合、ドライバＩＣへ映像データを伝送するために多くの信号駆動用電力が消費される。
また、同様に、赤・緑・青の単色表示が続くコンテンツの映像を表示した場合にも、ドライバＩＣへ映像データを伝送するために多くの信号駆動用電力が消費される。
【０００４】
ところで、例えば、特開２００７−４１５９１号公報（特許文献１）には、データ信号とスキャン信号によって制御するプラズマディスプレイや液晶表表示装置などにおいて、特定の行の表示が黒あるいは白である場合、その行のデータ信号をＨｉｇｈに固定することにより消費電力低減を図ることが示されている。
しかし、特開２００７−４１５９１号公報には、「映像データを解析し、特定のパターン（すなわち、赤（Ｒ）・緑（Ｇ）・青（Ｂ）のそれぞれの映像データが“０”（黒表示）のパターン）の場合のみ、制御信号のシグナルゲーティングによる消費電力を低減する方法」については言及されていない。
なお、シグナルゲーティングとは、Ｈｉｇｈ／Ｌｏｗする制御信号を信号受信側であるＬＥＤ表示ユニットが無効とみなす固定出力レベル（すなわち、ＨｉｇｈまたはＬｏｗ）として出力する制御機構のことである。
【先行技術文献】
【特許文献】
【０００５】
【特許文献１】特開２００７−４１５９１号公報
【発明の概要】
【発明が解決しようとする課題】
【０００６】
前述したように、従来のＬＥＤ映像表示装置では、表示ユニット制御部は、映像データをＬＥＤ表示ユニットのドライバＩＣに伝送するために、シフトクロック、イネーブル信号、ラッチ信号などの制御信号を常に出力している。
そのため、映像データが“０”であるにも関わらず（すなわち、映像が黒であるにも関
わらず）、ＬＥＤ表示ユニットのドライバＩＣはデータのシフトとラッチを繰り返す必要があり、多くの信号駆動用電力を消費していた。
また、赤・緑・青などの単色表示が続く場合も、黒表示の場合と同様に、データのシフトとラッチを繰り返す必要があり、多くの信号駆動用電力を消費していた。
【０００７】
この発明は、このような問題点を解決するためになされたものであり、黒表示あるいは赤・緑・青などの単色表示が続く場合に、映像データを伝送するためのクロック信号によりドライバＩＣが駆動され、多くの駆動用電力がドライバＩＣで消費されるのを抑制し、より省電力化を図ることが可能となるＬＥＤ映像表示装置を提供することを目的とする。
【課題を解決するための手段】
【０００８】
この発明に係わる第１のＬＥＤ映像表示装置は、複数のＬＥＤ表示ユニットが表示面にマトリックス状に配置されたＬＥＤ映像表示装置であって、
入力した映像信号に対して所定の処理を行った映像データを出力するコントローラ、
複数の赤色用ＬＥＤ素子とこれらの赤色用ＬＥＤ素子を駆動する赤色用ドライバＩＣと、複数の緑色用ＬＥＤ素子とこれらの緑色用ＬＥＤ素子を駆動する緑色用ドライバＩＣと、複数の青色用ＬＥＤ素子とこれらの青色用ＬＥＤ素子を駆動する青色用ドライバＩＣとを有する複数のＬＥＤ表示ユニットが平面状に配置された映像表示部、および
前記コントローラから出力する映像データを常時解析する映像解析部と、この映像解析部の解析結果に基づいて、前記赤色用、緑色用、青色用ドライバＩＣへ供給するクロック信号を制御し、前記赤色用、緑色用、青色用ドライバＩＣへ映像データを供給する映像出力処理部とを有する表示ユニット制御部を備え、 前記表示ユニット制御部の映像データは、赤色、緑色、青色の３色に対応して分離されており、
前記複数のＬＥＤ表示ユニットは、赤色、緑色、青色の３色に対応して、前記赤色用、緑色用、青色用ＬＥＤ素子と、前記赤色用、緑色用、青色用ドライバＩＣと、電源とが分離して設けられており、
前記表示ユニット制御部は、前記映像解析部で常時解析している前記各色の映像データが、赤色、緑色、青色の３色のいずれかの単色データであれば、当該単色データ以外の他の２色に対応するドライバＩＣへの前記クロック信号をハイまたはロウに固定することを特徴とする。
また、この発明に係わる第２のＬＥＤ映像表示装置は、複数のＬＥＤ表示ユニットが表示面にマトリックス状に配置されたＬＥＤ映像表示装置であって、
入力した映像信号に対して所定の処理を行った映像データを出力するコントローラ、
複数の赤色用ＬＥＤ素子とこれらの赤色用ＬＥＤ素子を駆動する赤色用ドライバＩＣと、複数の緑色用ＬＥＤ素子とこれらの緑色用ＬＥＤ素子を駆動する緑色用ドライバＩＣと、複数の青色用ＬＥＤ素子とこれらの青色用ＬＥＤ素子を駆動する青色用ドライバＩＣとを有する複数のＬＥＤ表示ユニットが平面上に配置された映像表示部、および
前記コントローラから出力する映像データを常時解析する映像解析部と、この映像解析部の解析結果に基づいて、前記赤色用、緑色用、青色用ドライバＩＣへ供給するクロック信号を制御し、前記赤色用、緑色用、青色用ドライバへ映像データを供給する映像出力処理部とを有する表示ユニット制御部を備え、
前記表示ユニット制御部の映像データは、赤色、緑色、青色の３色に対応して分離されており、
前記複数のＬＥＤ表示ユニットは、赤色、緑色、青色の３色に対応して、前記赤色用、緑色用、青色用ＬＥＤ素子と、前記赤色用、緑色用、青色用ドライバＩＣと、電源とが分離して設けられており、
前記表示ユニット制御部は、前記映像解析部で常時解析している映像データが、赤色単色データと青色単色データの２色の単色データで合成されたマゼンダ色、緑色単色データと青色単色データの２色の単色データで合成されたシアン色、あるいは赤色単色データと緑色単色データの２色の単色データで合成されたイエロー色である場合、合成元の２色以外の単色に対応する前記ドライバＩＣへの前記クロック信号をハイまたはロウに固定することを特徴とする。
【発明の効果】
【０００９】
この発明によれば、表示ユニット制御部は、コントローラから出力する映像データを常時解析し、映像データが所定色、具体的には、赤色、緑色、青色の３色のいずれかの単色データであれば、当該単色データ以外の他の２色に対応するドライバＩＣへのクロック信号をハイまたはロウに固定し、また、赤色単色データと青色単色データの２色の単色データで合成されたマゼンダ色、緑色単色データと青色単色データの２色の単色データで合成されたシアン色、あるいは赤色単色データと緑色単色データの２色の単色データで合成されたイエロー色である場合、合成元の２色以外の単色に対応するドライバＩＣへのクロック信号をハイまたはロウに固定する。
すなわち、映像データが赤色、緑色、青色の３色のいずれかの単色データである場合には、ＬＥＤ表示ユニットの前記単色データ以外の他の２色に対応するドライバＩＣは、また、映像データが赤色単色データと青色単色データの２色の単色データで合成されたマゼンダ色、緑色単色データと青色単色データの２色の単色データで合成されたシアン色、あるいは赤色単色データと緑色単色データの２色の単色データで合成されたイエロー色である場合には、合成元の２色以外の単色に対応するドライバＩＣはデータのシフトを繰り返さない。
従って、表示される映像が、赤色、緑色、青色の３色のいずれかの単色データである場合、また、赤色単色データと青色単色データの２色の単色データで合成されたマゼンダ色、緑色単色データと青色単色データの２色の単色データで合成されたシアン色、あるいは赤色単色データと緑色単色データの２色の単色データで合成されたイエロー色である場合、映像データを伝送するためのクロック信号によりドライバＩＣが駆動されて多くの信号駆動用電力がドライバＩＣで消費されることを抑制でき、ＬＥＤ映像表示装置の省電力化を図ることが可能となる。 
【図面の簡単な説明】
【００１０】
【図１】本発明に係るＬＥＤ映像表示装置の全体構成を概念的に示す図である。
【図２】図１の構成をより具体的に示す図である。
【図３】本発明における表示ユニット制御部の構成を示すブロック図である。
【図４】実施の形態１におけるＬＥＤ表示ユニットの構成を示す図である。
【図５】実施の形態２におけるＬＥＤ表示ユニットの構成を示す図である。
【図６】実施の形態３におけるＬＥＤ表示ユニットの構成を示す図である。
【発明を実施するための形態】
【００１１】
以下、図面に基づいて、本発明の一実施の形態例について説明する。
なお、各図間において、同一符号は、同一あるいは相当のものであることを表す。
実施の形態１．
図１は、本発明に係るＬＥＤ映像表示装置の全体構成を概念的に示す図である。
図１に示すように、本発明に係るＬＥＤ映像表示装置は、ＤＶＩやＳＤＩなどの様々なフォーマットの映像信号(デジタルあるいはアナログ)を入力し、映像の切り取りや拡大／縮小といった画像処理を実施した後に、特定の範囲（例えば、１系統のＳＤＩで伝送できる範囲）に分割して映像データを出力（送出）するコントローラ1００と、コントローラ1
００からの映像データを受信してＬＥＤ素子を駆動するための映像データおよび制御信号を出力する表示ユニット制御部２００と、複数のＬＥＤ素子とＬＥＤ素子駆動用のドライバＩＣが実装されたＬＥＤ表示ユニット３１０が複数配置された映像表示部３００から構成される。
複数のＬＥＤ表示ユニット３１０は、映像表示部３００においてマトリックス状に配置されており、マトリックス状に配置された複数のＬＥＤ表示ユニット３１０によって大型のＬＥＤ映像表示装置の表示画面（スクリーン）が形成されている。なお、複数のＬＥＤ表示ユニット３１０は、表示画面の形状によっては直線状に配置される場合もある。
【００１２】
図２は、図１に示したＬＥＤ映像表示装置の全体構成を、もう少し具体的に示したものである。
図２に示すように、コントローラ１００は、複数の映像送信部（映像送信部１、映像送信部２、・・・映像送信部ｋ）を有しており、ｋ系統に分割した映像データを複数の映像送信部からそれぞれ出力する。
また、表示ユニット制御部２００は、コントローラ１００の各映像送信部（映像送信部１、映像送信部２、・・・映像送信部ｋ）から出力する映像データがそれぞれ入力される複数のＬＥＤ制御基板（ＬＥＤ制御基板１、ＬＥＤ制御基板２、・・・ＬＥＤ制御基板ｋ）を有している。
また、映像表示部３００は、ｋ系統に対応して分割された複数のＬＥＤ表示ユニット３１０がマトリックス状に配置されている。
なお、「ＬＥＤ制御基板１、ＬＥＤ制御基板２、・・・ＬＥＤ制御基板ｋ」は、ｋ系統に分割された複数のＬＥＤ表示ユニット３１０に対応して設けられている。
【００１３】
図３は、表示ユニット制御部２００の内部構成を示すブロック図である。
表示ユニット制御部２００の各ＬＥＤ制御基板（ＬＥＤ制御基板１、ＬＥＤ制御基板２、・・・ＬＥＤ制御基板ｋ）は、コントローラ１００の各映像送信部（映像送信部１、映像送信部２、・・・映像送信部ｋ）から送信される映像データ５を受信する映像入力処理部２０１、入力した映像データ５に対して補正などの演算処理を実施して映像メモリ２０２に一時保存する演算処理部２０３、映像メモリ２０２に保存された映像データを読み出し、複数のＬＥＤ表示ユニット３１０対して出力信号１０を出力する映像出力処理部２０４、映像メモリ２０２の映像データを解析し、映像出力処理部２０４に対して制御信号を出力する映像解析部２０５、映像入力処理部２０１、演算処理部２０３、映像出力処理部２０４および映像解析部２０５を統括制御する統括制御部２０６から構成される。
【００１４】
なお、統括制御部２０６は、映像入力処理部２０１に対しては、コントローラ１００の入力信号から映像データ５を取り込むため設定を行い、演算処理部２０３に対しては、演算に必要なパラメータの設定を行い、映像出力処理部２０４に対しては、ドライバＩＣに必要なパラメータの設定を行い、映像解析部２０５に対しては、映像メモリ２０２にアクセスするタイミングを通知する。
また、映像解析部２０５は、映像更新周期で映像メモリ２０２の映像データを読み取り、“０”であるかどうか（すなわち、映像が黒であるかどうか）をチェックする。
“０”である場合は、映像出力処理部２０４からは信号受信側（ＬＥＤ表示ユニット側）が無効とみなす固定出力レベル（ＨｉｇｈあるいはＬｏｗ）として出力する。例えば、ＳＣＬＫ、ＤＡＴＡ、ＬＡＴＣＨはＬｏｗ固定、ＥＮはＨｉｇｈ固定とする。
【００１５】
図４は、実施の形態１におけるＬＥＤ表示ユニットの内部構成を示す図である。
図４に示すように、映像表示部３００に配置された各ＬＥＤ表示ユニット３１０は、赤色（Ｒ）用表示回路として、ドライバＩＣ１９の出力ピンに赤色ＬＥＤ素子１５のカソード側が複数個接続され、アノード側は赤色用電源（Ｒ電源）１２が接続される。
同様に緑色（Ｇ）用表示回路として、ドライバＩＣ１９の出力ピンに緑色ＬＥＤ素子１
６のカソード側が複数個接続され、アノード側は緑色用電源（Ｇ電源）１３が接続される。同様に青色（Ｂ）用表示回路として、ドライバＩＣ１９の出力ピンに青色ＬＥＤ素子１７のカソード側が複数個接続され、アノード側は青色用電源（Ｂ電源）１４が接続される。
なお、赤色用表示回路とは、赤色ＬＥＤ素子、赤色用ドライバＩＣ、赤色用電源などで構成された赤色表示用の回路のことであり、緑色用表示回路とは、緑色ＬＥＤ素子、緑色用ドライバＩＣ、緑色用電源などで構成された緑色表示用の回路のことであり、青色用表示回路とは、青色ＬＥＤ素子、青色用ドライバＩＣ、青色用電源などで構成された青色表示用の回路のことである。
赤色ＬＥＤ素子１５、緑色ＬＥＤ素子１６および青色ＬＥＤ素子１７は、画素分繰り返し配置されるとともに、さらに、ドライバＩＣ１９とその他のロジックＩＣ（図示なし）に電力を供給するロジック電源１８でＬＥＤ表示ユニット３１０が構成される。
【００１６】
なお、赤色、緑色、青色のＬＥＤ素子が1つにパッケージされた「３ｉｎ１タイプ」の
ＬＥＤであれば1個ずつの赤色ＬＥＤ素子、緑色ＬＥＤ素子、青色ＬＥＤ素子で1つの画素が構成される。また、赤色、緑色、青色のＬＥＤ素子のいずれかが１つにパッケージされた「１ｉｎ１タイプ」タイプのＬＥＤであれば、２個の赤色ＬＥＤ素子、１個の緑色ＬＥＤ素子、１個の青色ＬＥＤ素子で１つの画素を構成する場合がある。
【００１７】
また、表示ユニット制御部２００から出力される出力信号１０は、映像データである“ＤＡＴＡ２０”と、制御信号であるシフトクロック信号“ＳＣＬＫ２１”、ラッチ信号“ＬＡＴＣＨ２２”、イネーブル信号“ＥＮ２３”などである。
図４に示すように、映像データであるＤＡＴＡ２０はドライバＩＣ１９にシリアルに接続され、制御信号であるＳＣＬＫ２１、ＬＡＴＣＨ２２、ＥＮ２３は、各ドライバＩＣ１９にパラレルで接続される。
なお、図４における破線は、破線の左側の構成が繰り返し接続されていることを表している。（図５、図６についても同様）
【００１８】
上記では赤色用電源１２、緑色用電源１３、青色用電源１４をそれぞれ別に設けているが、これに限られるものではない。
また、図４では、赤、緑、青の順番にＬＥＤやドライバＩＣを接続構成している場合を示しているが、これに限られるものではない。
また、上記記載のＤＡＴＡ２０、ＳＣＬＫ２１、ＬＡＴＣＨ２２、ＥＮ２３信号は一例であって、これに限られるものではない。
【００１９】
実施の形態１によるＬＥＤ映像表示装置の動作について説明する。
本実施の形態では、図３に示すように、表示ユニット制御部２００に映像解析部２０５を備えたことを特徴としており、映像解析部２０５は、映像メモリ２０２の映像データ情報を常に解析する。
解析した結果、映像データが黒であれば、映像解析部２０５はその結果を映像出力処理部２０４へ通知する。
映像出力処理部２０４は、映像データが黒ではなく通常の映像データであれば、映像メモリ２０２から映像データを読み出し、映像表示部３００のＬＥＤ表示ユニット３１０に対して出力信号１０を出力する。
【００２０】
映像出力処理部２０４は、映像解析部２０５より映像データが黒であることの通知があった場合、ＤＡＴＡ２０をＬｏｗとして映像を黒とするだけでなく、ＳＣＬＫ２１、ＬＡＴＣＨ２２、ＥＮ２３もＬｏｗ固定あるいはＨｉｇｈ固定とする。そのため、各ドライバＩＣは、対応するＬＥＤに電流が流れないようにするとともに、ＳＣＬＫ２１をＬｏｗ固定あるいはＨｉｇｈ固定することによって、ＳＣＬＫ２１は停止する。
ＳＣＬＫ２１はクロック信号であり、常にＨｉｇｈ／Ｌｏｗを繰り返すため、ドライバＩＣ１９における電力消費は大きいので、ＳＣＬＫ２１を停止させることによりドライバＩＣ１９における電力消費を大きく低減できる。
【００２１】
本実施の形態によるＬＥＤ映像表示装置の効果について説明する。
大型映像表示装置において、黒表示が続くコンテンツの映像を表示した場合、ＳＣＬＫ２１を停止させるので、ドライバＩＣへ映像データを伝送するために消費する信号駆動用電力を大幅に削減することができる。
なお、信号駆動用電力とは、映像データおよび制御信号をドライバＩＣに対して送信するために消費される電力のことである。
【００２２】
以上説明したように、本実施の形態によるＬＥＤ映像表示装置は、複数のＬＥＤ表示ユニットが表示面にマトリックス状に配置されたＬＥＤ映像表示装置であって、入力した映像信号に対して所定の処理（すなわち、映像の切り取りや拡大／縮小などの画像処理を行った後に特定の範囲に分割する処理）を行った映像データ５を出力するコントローラ１００と、複数の赤色用ＬＥＤ素子と複数の赤色用ＬＥＤ素子を駆動する赤色用ドライバＩＣ、複数の緑色用ＬＥＤ素子と複数の緑色用ＬＥＤ素子を駆動する緑色用ドライバＩＣおよび複数の青色用ＬＥＤ素子と複数の青色用ＬＥＤ素子を駆動する青色用ドライバＩＣが設けられており、かつ、赤色用ドライバＩＣ、緑色用ドライバＩＣおよび青色用ドライバＩＣはシリアルに接続されている複数のＬＥＤ表示ユニット３１０が、平面状に配置された映像表示部３００と、コントローラ１００から出力する映像データ５を常時解析し、映像データが黒データであれば、赤色用、緑色用および青色用のドライバＩＣへ印加する制御信号をＨｉｇｈまたはＬｏｗに固定する表示ユニット制御部２００とで構成されている。
その結果、黒表示が続くコンテンツの映像を表示した場合、クロック信号ＳＣＬＫを停止させるので、ドライバＩＣへ映像データを伝送するために消費する信号駆動用電力を大幅に削減することができる。
【００２３】
実施の形態２．
図５は、実施の形態２におけるＬＥＤ表示ユニットの内部構成を示す図である。
前述した実施の形態１においては、ＬＥＤ表示ユニット３１０は、ドライバＩＣ１９の出力ピンに赤色ＬＥＤ素子１５のカソード側が複数個接続され、アノード側は赤色用電源（Ｒ電源）１２が接続された赤色（Ｒ）用表示回路と、ドライバＩＣ１９の出力ピンに緑色ＬＥＤ素子１６のカソード側が複数個接続され、アノード側は緑色用電源（Ｇ電源）１３が接続された緑色（Ｇ）用表示回路と、ドライバＩＣ１９の出力ピンに青色ＬＥＤ素子１７のカソード側が複数個接続され、アノード側は青色用電源（Ｂ電源）１４が接続された青色（Ｂ）用表示回路がシリアルに接続されている。
【００２４】
しかし、本実施の形態においては、表示ユニット制御部２００からの出力信号１０は、赤色（Ｒ）、緑色（Ｇ）、青色（Ｂ）の３色に対応して分離されている。
すなわち、表示ユニット制御部２００の出力信号１０は、図５に示すように、赤色用として「ＤＡＴＡ−Ｒ２４、ＳＣＬＫ−Ｒ２５、ＬＡＴＣＨ−Ｒ２６、ＥＮ−Ｒ２７」、緑色用として「ＤＡＴＡ−Ｇ２８、ＳＣＬＫ−Ｇ２９、ＬＡＴＣＨ−Ｇ３０、ＥＮ−Ｇ３１」、青色用として「ＤＡＴＡ−Ｂ３２、ＳＣＬＫ−Ｂ３３、ＬＡＴＣＨ−Ｂ３４、ＥＮ−Ｂ３５」と、各色ごとに映像テータおよび制御信号は分離されている。
これに対応して、ＬＥＤ表示ユニット３２０も、赤色（Ｒ）用表示回路、緑色（Ｇ）用表示回路および青色（Ｂ）用表示回路に分離されている。
なお、実施の形態１の図４と実施の形態２の図５を比べると、実施の形態２の方がＬＥＤ素子やトライバＩＣの数が増加しているように見えるが、ＬＥＤ素子やトライバＩＣの総数は同じである。これは、実施の形態３の場合も同様であり、ＬＥＤ素子やトライバＩＣの総数は同じである。
【００２５】
実施の形態２によるＬＥＤ映像表示装置の動作について説明する。
本実施の形態においては、映像入力処理部２０１、演算処理部２０３および統括制御部２０６の動作については実施の形態１の場合と変わらない。
本実施の形態においては、表示ユニット制御部２００の映像解析部２０５での解析結果が、「赤・緑・青各色成分の映像データのいずれかが“０”の場合」あるいは「複数の色成分が“０”の場合」は、映像解析部２０５は、映像出力処理部２０４に各色成分の解析結果を通知する。
映像出力処理部２０４は、その通知を受けて、各色について実施の形態１と同様に信号を出力する。
【００２６】
具体的に述べれば、映像解析部２０５については、実施の形態１と同様に、映像メモリ２０２の映像データを読み取るが、赤・緑・青各色それぞれについて“０”であるかチェックし、映像出力処理部２０４にその結果を通知する。
本実施の形態による表示ユニット制御部２００は、常時解析している各色の映像データが赤色、緑色、青色の３色のいずれかの単色データであれば、当該単色データ以外の他の２色に対応するドライバＩＣへ印加する制御信号をハイ（Ｈｉｇｈ）またはロウ（Ｌｏｗ）に固定する。
映像出力処理部２０４は、映像解析部２０５からの通知に従って、Ｒ用の映像データおよび制御信号、Ｇ用の映像データおよび制御信号、Ｂ用の映像データおよび制御信号を出力する。 
【００２７】
本実施の形態によるＬＥＤ映像表示装置の効果について説明する。
実施の形態1では、黒表示が続くコンテンツの映像を表示した場合に省電力の効果があ
ったが、本実施の形態によれば、黒表示だけでなく、赤１００％単色、青１００％単色、緑１００％単色などの表示が続く場合に、ドライバＩＣ１９へ映像データを伝送するために消費する信号駆動用電力を削減することができる。
また、マゼンダ(赤１００％、青１００％)やシアン(青１００％、緑１００％)やイエロー(赤１００％、緑１００％) などの表示が続く場合にも、ドライバＩＣへ映像データを伝送するために消費する信号駆動用電力を削減することができる。
【００２８】
以上説明したように、本実施の形態においては、表示ユニット制御部２００の出力信号１０は、赤色、緑色、青色の３色に対応して分離されており、複数のＬＥＤ表示ユニット３１０は、赤色、緑色、青色の３色に対応して、ＬＥＤ素子、ドライバＩＣ１９および電源が分離して設けられている。
そして、表示ユニット制御部２００は、映像解析部２０５が常時解析している各色の映像データが赤色、緑色、青色の３色のいずれかの単色データであれば、当該単色データ以外の他の２色に対応するドライバＩＣへ印加する制御信号をハイ（Ｈｉｇｈ）またはロウ（Ｌｏｗ）に固定する。
その結果、黒表示が続くコンテンツの映像を表示した場合と同様に、赤色、緑色、青色の単色表示が続く映像を表示した場合も、その表示している単色以外の色に対応するクロック信号を停止させるので、ドライバＩＣへ映像データを伝送するために消費する信号駆動用電力を大幅に削減することができる。 
【００２９】
また、本実施の形態によるＬＥＤ映像表示装置の表示ユニット制御部２００は、映像解析部２０５が常時解析している映像データが、赤色単色データと青色単色データの２色の単色データで合成されたマゼンタ色、青色単色データと緑色単色データの２色の単色データで合成されたシアン色あるいは赤色単色データと緑色単色データの２色の単色データで合成されたイエロー色である場合、合成元の２色以外の単色に対応するドライバＩＣ１９へ印加する制御信号をハイ（Ｈｉｇｈ）またはロウ（Ｌｏｗ）に固定する。
その結果、マゼンタ色、シアン色、イエロー色の表示が続く映像を表示した場合にも、ドライバＩＣへ映像データを伝送するために消費する信号駆動用電力を削減することができる。
なお、「合成元の２色以外の単色に対応するドライバＩＣ」とは、マゼンタ色の場合は緑色に対応するドライバＩＣ、シアン色の場合は赤色に対応するドライバＩＣ、イエロー色の場合は青色に対応するドライバＩＣのことである。 
【００３０】
実施の形態３．
図６は、実施の形態３におけるＬＥＤ表示ユニットの内部構成を示す図である。
前述した実施の形態１や実施の形態２では、ＬＥＤ表示ユニット３１０、３２０のドライバＩＣ１９に対して、制御信号をＨｉｇｈあるいはＬｏｗに固定していた。
本実施の形態の形態によるＬＥＤ表示ユニット３３０では、図６に示すように、実施の形態２に加えて、各色電源（すなわち、Ｒ電源、Ｇ電源、Ｂ電源）の電源ラインおよび各色用ロジック電源１８の電源ラインにスイッチング素子３６を更に設けている。
スイッチング素子３６は、赤色用スイッチング素子制御信号ＳＲＣ−Ｒ３７、緑色用スイッチング素子制御信号ＳＲＣ−Ｇ３８、青色用スイッチング素子制御信号ＳＲＣ−Ｂ３９によりオン（ＯＮ）／オフ（ＯＦＦ）される。 
【００３１】
実施の形態３によるＬＥＤ映像表示装置の動作について説明する。
本実施の形態においては、表示ユニット制御部２００における映像解析部２０５で解析した結果、赤・緑・青各色成分のデータのいずれかが“０”の場合、あるいは複数の色成分が“０”の場合、映像出力処理部２０４に各色成分の結果を通知する。
映像出力処理部２０４は、その通知を受けて、各色に対応するスイッチング素子制御信号ＳＲＣ−Ｒ３７、ＳＲＣ−Ｇ３８、ＳＲＣ−Ｂ３９を制御することにより、各色用のスイッチング素子３６をオン（ＯＮ）／オフ（ＯＦＦ）制御する。
【００３２】
本実施の形態によるＬＥＤ映像表示装置の効果について説明する。
前述した実施の形態１や実施の形態２では、制御信号をＨｉｇｈあるいはＬｏｗに固定することでドライバＩＣ１９の駆動用電力を削減していた。
実施の形態３では、表示ユニット制御部２００において、映像解析部２０５が映像メモリ２０２内の映像データを解析し、赤色（Ｒ）の映像データが“０”であれば、映像出力処理部２０４はスイッチング素子制御信号ＳＲＣ−Ｒ３７を生成する。
同様に、緑色（Ｇ）の映像データが“０”であれば、映像出力処理部２０４はスイッチング素子制御信号ＳＲＣ−Ｇ３８を生成する。
同様に、青色（Ｂ）の映像データが“０”であれば、映像出力処理部２０４はスイッチング素子制御信号ＳＲＣ−Ｂ３９を生成する。
【００３３】
ＬＥＤ映像表示装置（特に大型のＬＥＤ映像表示装置）の運用として、スクリーン部の電源をオン（ＯＮ）としたまま黒表示の状態あるいは赤・緑・青の単色表示の状態を維持して待機することが多々あるが、映像出力処理部２０４で生成したスイッチング素子制御信号によってスイッチング素子をオフ（ＯＦＦ）とすることにより、赤色ＬＥＤ素子１５、緑色ＬＥＤ素子１６、青色ＬＥＤ素子１７およびドライバＩＣ１９の待機電力を削除することができる。 
【００３４】
以上説明したように、本実施の形態によるＬＥＤ映像表示装置は、実施の形態２によるＬＥＤ映像表示装置に対して、更に、複数のＬＥＤ素子に電源を供給する電源ラインと複数のドライバＩＣに電源を供給する電源ラインにスイッチング素子３６を設け、表示ユニット制御部２００は、３色の映像データのいずれかが“０”あるいは複数の映像データが“０”の場合、スイッチング素子３６をオフ（ＯＦＦ）とする。
その結果、３色の映像データのいずれかが“０”あるいは複数の映像データが“０”の場合に、ＬＥＤ素子およびドライバＩＣの駆動を停止させるので、スクリーン部の電源をオン（ＯＮ）としたままで赤・緑・青の単色表示の状態を維持して待機するときの待機電力を削除することができる。
【産業上の利用可能性】
【００３５】
本発明は、黒表示または赤・緑・青などの単色表示状態が続く場合に、映像データを伝送するための制御信号によりドライバＩＣが駆動されることにより生じる信号駆動用電力の抑制が可能なＬＥＤ映像表示装置の実現に有用である。
【符号の説明】
【００３６】
５  コントローラから出力する映像データ
１０  表示ユニット制御部から出力する出力信号
１２  Ｒ電源              １３  Ｇ電源            １４  Ｂ電源
１５  赤色ＬＥＤ素子      １６  緑色ＬＥＤ素子    １７  青色ＬＥＤ素子
１８  ロジック電源        １９  ドライバＩＣ      ３６  スイッチング素子
１００  コントローラ      ２００  表示ユニット制御部 
２０１  映像入力処理部    ２０２  映像メモリ      ２０３  演算処理部
２０４  映像出力処理部    ２０５  映像解析部      ２０６  統括制御部
３００  映像表示部        ３１０、３２０、３３０  ＬＥＤ表示ユニット
【図１】
0005963433.tif 000002
【図２】
0005963433.tif 000003
【図３】
0005963433.tif 000004
【図４】
0005963433.tif 000005
【図５】
0005963433.tif 000006
【図６】
0005963433.tif 000007